【手続補正書】
【提出日】平成21年12月17日(2009.12.17)
【手続補正１】
【補正対象書類名】特許請求の範囲
【補正対象項目名】全文
【補正方法】変更
【補正の内容】
【特許請求の範囲】
【請求項１】
誘導コイル(51)を内蔵し、この誘導コイル(51)に誘導される電力で充電される電池(54)を内蔵する携帯機器(50)と、この携帯機器(50)を脱着自在にセットして携帯機器(50)の電池(54)を充電する充電台(10)とからなり、
前記充電台(10)は、装着部(12)の底面をＵ溝状に湾曲する湾曲底面(13)として、湾曲底面(13)の内側に、前記携帯機器(50)の誘導コイル(51)に電磁結合される電源コイル(21)を内蔵しており、この電源コイル(21)には電源(22)を接続しており、
さらに、前記携帯機器(50)は、充電台(10)の装着部(12)に載せられる背面をＵ溝状の湾曲底面(13)に沿う形状に湾曲して湾曲背面(53)として、この湾曲背面(53)の内側に誘導コイル(51)を内蔵しており、
前記充電台(10)の装着部(12)に携帯機器(50)がセットされると、互いに電磁結合される電源コイル(21)から誘導コイル(51)に電力搬送して、誘導コイル(51)に誘導される電力で携帯機器(50)の電池(54)を充電するようにしてなる携帯機器と充電台。
【請求項２】
前記誘導コイル(51)が、湾曲背面(53)に沿う湾曲面に巻かれたコイルである請求項１に記載される携帯機器と充電台。
【請求項３】
前記携帯機器(50)が、脱着自在なカバー(40)で被覆されており、前記充電台(10)の装着部(12)が、カバー(40)で被覆する携帯機器(50)をセットできる内形としている請求項１に記載される携帯機器と充電台。
【請求項４】
充電台(10)の装着部(12)が、Ｕ溝状である湾曲底面(13)の長手方向が、後方に向かって上り勾配に傾斜する姿勢であって、下端にストッパ壁(14)を設けており、装着部(12)にセットされる携帯機器(50)の長手方向を後方に向かって上り勾配とする姿勢で、携帯機器(50)が下端をストッパ壁(14)に載せて装着されるようにしてなる請求項１に記載される携帯機器と充電台。
【請求項５】
前記携帯機器(50)が、湾曲背面(53)に沿う湾曲面に巻かれた誘導コイル(51)を内蔵しており、この誘導コイル(51)がＵ溝状に湾曲する湾曲底面(13)の長手方向に細長いループ状である請求項１に記載される携帯機器と充電台。
【請求項６】
前記携帯機器(50)が、背面に複数本の円筒形電池(54)を平行に並べて収納する電池収納部(61)を有する電子機器(60)と、この電子機器(60)の電池収納部(61)に脱着自在に収納してなるパック電池(70)とを備え、パック電池(70)に誘導コイル(51)と電池(54)とを内蔵している請求項１に記載される携帯機器と充電台。
【請求項７】
前記充電台(10)が隣接する充電台(10)に脱着自在に連結できる連結部(17)を有する請求項１に記載される携帯機器と充電台。
【請求項８】
前記充電台(10)が、装着部(12)を設けてなる上ケース(11A)を備え、この上ケース(11A)の装着部(12)が、底面をＵ溝状に湾曲する湾曲底面(13)としている請求項１に記載される携帯機器と充電台。
【請求項９】
１２．前記電源コイル(21)が平面状に巻かれた平面コイルで、Ｕ溝状の長手方向に細長いループ状に巻かれて、長手方向に長い領域に電力搬送できる構造としている請求項１に記載される携帯機器と充電台。
【請求項１０】
誘導コイル(51)を内蔵し、この誘導コイル(51)に誘導される電力で充電される電池(54)を内蔵する携帯機器(50)を脱着自在にセットして携帯機器(50)の電池(54)を充電する充電台(10)であって、
前記充電台(10)は、装着部(12)の底面をＵ溝状に湾曲する湾曲底面(13)として、湾曲底面(13)の内側に、前記携帯機器(50)の誘導コイル(51)に電磁結合される電源コイル(21)を内蔵しており、この電源コイル(21)には電源(22)を接続しており、
さらに、前記携帯機器(50)は、充電台(10)の装着部(12)に載せられる背面をＵ溝状の湾曲底面(13)に沿う形状に湾曲して湾曲背面(53)として、この湾曲背面(53)の内側に誘導コイル(51)を内蔵しており、
前記充電台(10)の装着部(12)に携帯機器(50)がセットされると、互いに電磁結合される電源コイル(21)から誘導コイル(51)に電力搬送して、誘導コイル(51)に誘導される電力で携帯機器(50)の電池(54)を充電するようにしてなる充電台。
【請求項１１】
誘導コイル(51)を内蔵し、この誘導コイル(51)に誘導される電力で充電される電池(54)を備えるパック電池(70)と、該パック電池(70)を装着する携帯機器(50)を脱着自在にセットしてパック電池(70)の電池(54)を充電する充電台(10)とからなり、
前記充電台(10)は、装着部(12)の底面をＵ溝状に湾曲する湾曲底面(13)として、湾曲底面(13)の内側に、前記パック電池(70)の誘導コイル(51)に電磁結合される電源コイル(21)を内蔵しており、この電源コイル(21)には電源(22)を接続しており、
さらに、前記パック電池(70)は、充電台(10)の装着部(12)に載せられる背面をＵ溝状の湾曲底面(13)に沿う形状に湾曲して湾曲背面(53)として、この湾曲背面(53)の内側に誘導コイル(51)を内蔵しており、
前記充電台(10)の装着部(12)にパック電池(70)がセットされると、互いに電磁結合される電源コイル(21)から誘導コイル(51)に電力搬送して、誘導コイル(51)に誘導される電力でパック電池(70)の電池(54)を充電するようにしてなるパック電池と充電台。
【請求項１２】
誘導コイル(51)を内蔵し、この誘導コイル(51)に誘導される電力で充電される電池(54)を備えるパック電池(70)を装着する携帯機器(50)を脱着自在にセットしてパック電池(70)の電池(54)を充電する充電台(10)であって、
前記充電台(10)は、装着部(12)の底面をＵ溝状に湾曲する湾曲底面(13)として、湾曲底面(13)の内側に、前記パック電池(70)の誘導コイル(51)に電磁結合される電源コイル(21)を内蔵しており、この電源コイル(21)には電源(22)を接続しており、
さらに、前記パック電池(70)は、充電台(10)の装着部(12)に載せられる背面をＵ溝状の湾曲底面(13)に沿う形状に湾曲して湾曲背面(53)として、この湾曲背面(53)の内側に誘導コイル(51)を内蔵しており、
前記充電台(10)の装着部(12)にパック電池(70)がセットされると、互いに電磁結合される電源コイル(21)から誘導コイル(51)に電力搬送して、誘導コイル(51)に誘導される電力でパック電池(70)の電池(54)を充電するようにしてなる充電台。
【請求項１３】
誘導コイル(51)を内蔵し、この誘導コイル(51)に誘導される電力で充電される電池(54)を備えるパック電池(70)と、該パック電池(70)を脱着自在にセットしてパック電池(70)の電池(54)を充電する充電台(10)であって、
前記充電台(10)は、装着部(12)の底面をＵ溝状に湾曲する湾曲底面(13)として、湾曲底面(13)の内側に、前記パック電池(70)の誘導コイル(51)に電磁結合される電源コイル(21)を内蔵しており、この電源コイル(21)には電源(22)を接続しており、
さらに、前記パック電池(70)は、充電台(10)の装着部(12)に載せられる背面をＵ溝状の湾曲底面(13)に沿う形状に湾曲して湾曲背面(53)として、この湾曲背面(53)の内側に誘導コイル(51)を内蔵しており、
前記充電台(10)の装着部(12)にパック電池(70)がセットされると、互いに電磁結合される電源コイル(21)から誘導コイル(51)に電力搬送して、誘導コイル(51)に誘導される電力でパック電池(70)の電池(54)を充電するようにしてなるパック電池と充電台。
【請求項１４】
誘導コイル(51)を内蔵し、この誘導コイル(51)に誘導される電力で充電される電池(54)を備えるパック電池(70)を脱着自在にセットしてパック電池(70)の電池(54)を充電する充電台(10)であって、
前記充電台(10)は、装着部(12)の底面をＵ溝状に湾曲する湾曲底面(13)として、湾曲底面(13)の内側に、前記パック電池(70)の誘導コイル(51)に電磁結合される電源コイル(21)を内蔵しており、この電源コイル(21)には電源(22)を接続しており、
さらに、前記パック電池(70)は、充電台(10)の装着部(12)に載せられる背面をＵ溝状の湾曲底面(13)に沿う形状に湾曲して湾曲背面(53)として、この湾曲背面(53)の内側に誘導コイル(51)を内蔵しており、
前記充電台(10)の装着部(12)にパック電池(70)がセットされると、互いに電磁結合される電源コイル(21)から誘導コイル(51)に電力搬送して、誘導コイル(51)に誘導される電力でパック電池(70)の電池(54)を充電するようにしてなる充電台。
【請求項１５】
前記誘導コイル(51)が、湾曲背面(53)に沿う湾曲面に巻かれたコイルである請求項１１又は１３に記載されるパック電池と充電台。
【請求項１６】
前記携帯機器(50)が、脱着自在なカバー(40)で被覆されており、前記充電台(10)の装着部(12)が、カバー(40)で被覆する携帯機器(50)をセットできる内形としている請求項１１に記載されるパック電池と充電台。
【請求項１７】
前記パック電池(70)が、湾曲背面(53)に沿う湾曲面に巻かれた誘導コイル(51)を内蔵しており、この誘導コイル(51)がＵ溝状に湾曲する湾曲底面(13)の長手方向に細長いループ状である請求項１１又は１３に記載されるパック電池と充電台。
【請求項１８】
前記充電台(10)が、装着部(12)を設けてなる上ケース(11A)を備え、この上ケース(11A)の装着部(12)が、底面をＵ溝状に湾曲する湾曲底面(13)としている１１又は１３に記載されるパック電池と充電台。
【請求項１９】
前記電源コイル(21)が平面状に巻かれた平面コイルで、Ｕ溝状の長手方向に細長いループ状に巻かれて、長手方向に長い領域に電力搬送できる構造としている１１又は１３に記載されるパック電池と充電台。
【手続補正２】
【補正対象書類名】明細書
【補正対象項目名】発明の名称
【補正方法】変更
【補正の内容】
【発明の名称】充電台、携帯機器と充電台及びパック電池と充電台
【手続補正３】
【補正対象書類名】明細書
【補正対象項目名】００１１
【補正方法】変更
【補正の内容】
【００１１】
本発明の携帯機器と充電台は、前述の目的を達成するために以下の構成を備える。
携帯機器と充電台は、誘導コイル５１を内蔵し、この誘導コイル５１に誘導される電力で充電される電池５４を内蔵する携帯機器５０と、この携帯機器５０を脱着自在にセットして携帯機器５０の電池５４を充電する充電台１０とからなる。充電台１０は、装着部１２の底面をＵ溝状に湾曲する湾曲底面１３として、湾曲底面１３の内側に、携帯機器５０の誘導コイル５１に電磁結合される電源コイル２１を内蔵しており、この電源コイル２１には電源２２を接続している。携帯機器５０は、充電台１０の装着部１２に載せられる背面をＵ溝状の湾曲底面１３に沿う形状に湾曲して湾曲背面５３として、この湾曲背面５３の内側に誘導コイル５１を内蔵している。充電台１０は、装着部１２に携帯機器５０がセットされると、互いに電磁結合される電源コイル２１から誘導コイル５１に電力搬送して、誘導コイル５１に誘導される電力で携帯機器５０の電池５４を充電する。
本発明の充電台は、誘導コイル51を内蔵し、この誘導コイル51に誘導される電力で充電される電池54を内蔵する携帯機器50を脱着自在にセットして携帯機器50の電池54を充電する充電台10であって、前記充電台10は、装着部12の底面をＵ溝状に湾曲する湾曲底面13として、湾曲底面13の内側に、前記携帯機器50の誘導コイル51に電磁結合される電源コイル21を内蔵しており、この電源コイル21には電源22を接続しており、さらに、前記携帯機器50は、充電台10の装着部12に載せられる背面をＵ溝状の湾曲底面13に沿う形状に湾曲して湾曲背面53として、この湾曲背面53の内側に誘導コイル51を内蔵しており、前記充電台10の装着部12に携帯機器50がセットされると、互いに電磁結合される電源コイル21から誘導コイル51に電力搬送して、誘導コイル51に誘導される電力で携帯機器50の電池54を充電するようにしてなる。
本発明のパック電池と充電台は、誘導コイル51を内蔵し、この誘導コイル51に誘導される電力で充電される電池54を備えるパック電池70と、該パック電池70を装着する携帯機器50を脱着自在にセットしてパック電池70の電池(54)を充電する充電台10とからなり、前記充電台10は、装着部12の底面をＵ溝状に湾曲する湾曲底面13として、湾曲底面13の内側に、前記パック電池70の誘導コイル51に電磁結合される電源コイル21を内蔵しており、この電源コイル21には電源22を接続しており、さらに、前記パック電池70は、充電台10の装着部12に載せられる背面をＵ溝状の湾曲底面13に沿う形状に湾曲して湾曲背面53として、この湾曲背面53の内側に誘導コイル51を内蔵しており、前記充電台10の装着部12にパック電池70がセットされると、互いに電磁結合される電源コイル21から誘導コイル51に電力搬送して、誘導コイル51に誘導される電力でパック電池70の電池54を充電するようにしてなる。
本発明の充電台は、誘導コイル51を内蔵し、この誘導コイル51に誘導される電力で充電される電池54を備えるパック電池70を装着する携帯機器50を脱着自在にセットしてパック電池70の電池54を充電する充電台10であって、前記充電台10は、装着部12の底面をＵ溝状に湾曲する湾曲底面13として、湾曲底面13の内側に、前記パック電池70の誘導コイル51に電磁結合される電源コイル21を内蔵しており、この電源コイル21には電源22を接続しており、さらに、前記パック電池70は、充電台10の装着部12に載せられる背面をＵ溝状の湾曲底面13に沿う形状に湾曲して湾曲背面53として、この湾曲背面53の内側に誘導コイル51を内蔵しており、前記充電台10の装着部12にパック電池70がセットされると、互いに電磁結合される電源コイル21から誘導コイル51に電力搬送して、誘導コイル51に誘導される電力でパック電池70の電池54を充電するようにしてなる。
本発明のパック電池と充電台は、誘導コイル51を内蔵し、この誘導コイル51に誘導される電力で充電される電池54を備えるパック電池70と、該パック電池70を脱着自在にセットしてパック電池70の電池54を充電する充電台10であって、前記充電台10は、装着部12の底面をＵ溝状に湾曲する湾曲底面13として、湾曲底面13の内側に、前記パック電池70の誘導コイル51に電磁結合される電源コイル21を内蔵しており、この電源コイル21には電源22を接続しており、さらに、前記パック電池70は、充電台10の装着部12に載せられる背面をＵ溝状の湾曲底面13に沿う形状に湾曲して湾曲背面53として、この湾曲背面53の内側に誘導コイル51を内蔵しており、前記充電台10の装着部12にパック電池70がセットされると、互いに電磁結合される電源コイル21から誘導コイル51に電力搬送して、誘導コイル51に誘導される電力でパック電池70の電池54を充電するようにしてなる。
本発明の充電台は、誘導コイル51を内蔵し、この誘導コイル51に誘導される電力で充電される電池54を備えるパック電池70を脱着自在にセットしてパック電池70の電池54を充電する充電台10であって、前記充電台10は、装着部12の底面をＵ溝状に湾曲する湾曲底面13として、湾曲底面13の内側に、前記パック電池70の誘導コイル51に電磁結合される電源コイル21を内蔵しており、この電源コイル21には電源22を接続しており、さらに、前記パック電池70は、充電台10の装着部12に載せられる背面をＵ溝状の湾曲底面13に沿う形状に湾曲して湾曲背面53として、この湾曲背面53の内側に誘導コイル51を内蔵しており、前記充電台10の装着部12にパック電池70がセットされると、互いに電磁結合される電源コイル21から誘導コイル51に電力搬送して、誘導コイル51に誘導される電力でパック電池70の電池54を充電するようにしてなる。
【手続補正４】
【補正対象書類名】明細書
【補正対象項目名】００１９
【補正方法】変更
【補正の内容】
【００１９】
本発明の請求項７の携帯機器と充電台は、充電台１０が隣接する充電台１０に脱着自在に連結できる連結部１７を有する。
この構造は、複数台の充電台を連結して、複数の携帯機器の電池を充電できる。
充電台１０が、装着部１２を設けてなる上ケース１１Ａを備え、この上ケース１１Ａの装着部１２が、底面をＵ溝状に湾曲する湾曲底面１３としている。
電源コイル２１が平面状に巻かれた平面コイルで、Ｕ溝状の長手方向に細長いループ状に巻かれて、長手方向に長い領域に電力搬送できる構造としている。